(57)【要約】【課題】沈胴式カメラにおいて、撮像素子部の防塵が可能で、且つ沈胴状態でのカメラボディ厚を薄くできるようにする。【解決手段】非撮影時にカメラボディ１内に沈胴され、撮影時にカメラボディ１から繰り出されるレンズ鏡筒２を備える沈胴式カメラにおいて、レンズ鏡筒２内のレンズ２１・２２・２３・２４・２５部とカメラボディ１内の撮像素子６との間に配置される光学フィルタ７を保持する、光軸方向に移動可能な枠部材８と、撮像素子６が搭載された基板５と枠部材８との間に配置され、圧縮変形可能な弾性体により撮像素子６を囲むように形成される筒状部材１１と、を備える。レンズ鏡筒２の沈胴時に、枠部材８がレンズ鏡筒２により押されて筒状部材１１が圧縮変形する。【選択図】図３
2009204689.tif 000002
【特許請求の範囲】
【請求項１】
非撮影時にカメラボディ内に沈胴され、撮影時にカメラボディから繰り出されるレンズ鏡筒を備える沈胴式カメラにおいて、
前記レンズ鏡筒内のレンズ部と前記カメラボディ内の撮像素子との間に配置される光学フィルタを保持する、光軸方向に移動可能な枠部材と、
前記撮像素子が搭載された基板と前記枠部材との間に配置され、圧縮変形可能な弾性体により前記撮像素子を囲むように形成される筒状部材と、を備えることを特徴とする沈胴式カメラ。
【請求項２】
前記レンズ鏡筒の沈胴時に、前記枠部材が前記レンズ鏡筒により押されて前記筒状部材が圧縮変形することを特徴とする請求項１に記載の沈胴式カメラ。
【発明の詳細な説明】
【技術分野】
【０００１】
本発明は、非撮影時にカメラボディ内にカメラ鏡筒が沈胴される沈胴式カメラに関する。
【背景技術】
【０００２】
デジタルカメラにおいて、レンズ部と撮像素子との間に配置される光学フィルタ、具体的には赤外線カットフィルタには、その製造段階、特にコーティング段階でごみが付着したり、カメラボディへの組み込み後にごみが付着したりする可能性がある。その付着したごみが画像に写らないようにするためには、光学フィルタを撮像素子の撮像面からある程度離す必要がある。
しかし、このように光学フィルタを撮像素子の撮像面からある程度離すようにすると、沈胴式カメラでは、沈胴時のカメラボディ厚が厚くなるという不都合がある。
【０００３】
この不都合を解消するものとして、光学フィルタの保持枠を光軸方向に可動としたものがある（特許文献１参照）。すなわち、特許文献１には、ローパスフィルタを可動枠に固定し、撮像素子の周囲を固定枠にて囲い、可動枠を固定枠に対して移動可能に取り付け、撮像時はローパスフィルタを撮像素子から離し、非撮像時はローパスフィルタを撮像素子の近くに位置させる撮像機構が開示されている。
【特許文献１】特開２００６−２１７１８６号公報
【発明の開示】
【発明が解決しようとする課題】
【０００４】
しかし、特許文献１の開示の構成は、可動枠支持板から外側に突出した一対の腕部と固定枠支持板との間に、可動枠支持板を前方へ付勢する弾性体を設けたものであり、大きな実装スペースを必要とし、また、防塵効果も不十分なものであった。
【０００５】
本発明の課題は、沈胴式カメラにおいて、撮像素子部の防塵が可能で、且つ沈胴状態でのカメラボディ厚を薄くできるようにすることである。
【課題を解決するための手段】
【０００６】
以上の課題を解決するため、請求項１に記載の発明は、非撮影時にカメラボディ内に沈胴され、撮影時にカメラボディから繰り出されるレンズ鏡筒を備える沈胴式カメラにおいて、前記レンズ鏡筒内のレンズ部と前記カメラボディ内の撮像素子との間に配置される光学フィルタを保持する、光軸方向に移動可能な枠部材と、前記撮像素子が搭載された基板と前記枠部材との間に配置され、圧縮変形可能な弾性体により前記撮像素子を囲むように形成される筒状部材と、を備えることを特徴とする。
【０００７】
請求項２に記載の発明は、請求項１に記載の沈胴式カメラであって、前記レンズ鏡筒の沈胴時に、前記枠部材が前記レンズ鏡筒により押されて前記筒状部材が圧縮変形することを特徴とする。
【発明の効果】
【０００８】
本発明によれば、撮像素子部を防塵でき、しかも、沈胴状態でのカメラボディ厚を薄くすることができる。
【発明を実施するための最良の形態】
【０００９】
以下、図を参照して本発明を実施するための最良の形態を詳細に説明する。
（実施形態）
図１及び図２は本発明を適用した沈胴式カメラの一実施形態の外観を示したもので、１はカメラボディ、２はレンズ鏡筒、３は電源ボタン、４はシャッターボタンである。
【００１０】
電源ボタン３を操作してカメラの機能を停止させた非撮影時は、図１に示したように、カメラボディ１内にレンズ鏡筒２を沈胴し、電源ボタン３を操作して撮影準備状態とすると、カメラボディ１に内蔵された図示しないモータを作動させて減速歯車やウォームスクリューなどを組み込んだ駆動機構により、図２に示したように、カメラボディ１からレンズ鏡筒２が繰り出される。
【００１１】
図３から図６はカメラボディ１及びレンズ鏡筒２の内蔵部品を示したもので、５は基板、６は撮像素子、７は光学フィルタ、８は可動枠部材、９は固定枠部材、１１は筒状部材、２１・２２・２３・２４・２５は可動レンズ、２６は最終レンズ鏡枠である。
【００１２】
カメラボディ１には、基板５、撮像素子６、光学フィルタ７、可動枠部材８、固定枠部材９、筒状部材１１が組み込まれている。また、レンズ鏡筒２に可動レンズ２１・２２・２３・２４・２５が組み込まれている。
【００１３】
具体的には、カメラボディ１の内部において、基板５に実装された例えばＣＣＤによる撮像素子６と、その前方の光学フィルタとしての赤外線カットフィルタ７と、その保持枠である可動枠部材８と、その案内枠である固定枠部材９とが配置されている。可動枠部材８は、固定枠部材９の内部に前後方向移動可能で、且つ前方に対して抜け止めして組み付けられている。
【００１４】
そして、撮像素子６を囲むように、伸縮性ゴム等の弾性体により形成した筒状部材１１が基板５と可動枠部材９との間に配置されている。
また、レンズ鏡筒２の最終レンズ鏡枠２６の後面には、可動枠部材８の前面に当接する複数の突起部２７が形成されている。
【００１５】
以上、実施形態の沈胴式カメラによれば、基板５と可動枠部材９との間に配置した筒状部材１１が撮像素子６を囲んでいるため、撮像素子６部分を防塵できる。しかも、撮像素子６を囲む筒状部材１１を設ければ良いため、実装スペースをコンパクトにできる。
【００１６】
そして、電源ボタン３を操作してカメラの機能を停止させた非撮影時は、図３及び図５に示したように、レンズ鏡筒２の最終レンズ鏡枠２６の後面に設けた複数の突起部２７が可動枠部材８を押すことにより、基板５と可動枠部材９との間の筒状部材１１を圧縮変形させて、カメラボディ１内にレンズ鏡筒２を沈胴させた状態となる。従って、筒状部材１１の圧縮変形量だけレンズ鏡筒２の沈胴量を多くできるため、沈胴状態でのカメラボディ１のボディ厚を薄くできる。
【００１７】
また、電源ボタン３を操作して撮影準備状態とすると、図４に示したように、カメラボディ１からレンズ鏡筒２が繰り出され、可動枠部材８は、圧縮変形していた筒状部材１１により前方へ押されて、固定枠部材９に対して前方へ抜け止めされた状態となる。
【００１８】
（変形例）
なお、以上の実施形態においては、角形の枠部材及び筒状部材としたが、本発明はこれに限定されるものではなく、円形の枠部材及び筒状部材であっても良い。
また、実施形態では、枠部材に突起部を設けたが、突起部を設けずに、枠部材で筒状部材を直接押すようにしても良い。
さらに、その他、具体的な細部構造等についても適宜に変更可能であることは勿論である。
【図面の簡単な説明】
【００１９】
【図１】本発明を適用した沈胴式カメラの一実施形態の構成を示すもので、非撮影状態の外観を示した斜視図である。
【図２】同じく、撮影可能状態の外観を示した斜視図である。
【図３】沈胴状態でのレンズ部と撮像素子と光学フィルタ及びその枠部材の関係を示した縦断側面図である。
【図４】繰り出し状態でのレンズ部と撮像素子と光学フィルタ及びその枠部材の関係を示した縦断側面図である。
【図５】図３の沈胴状態での最終レンズ鏡枠と光学フィルタ保持枠及び基板を示した斜視図である。
【図６】図５の構成部品等の分解斜視図である。
【符号の説明】
【００２０】
１  カメラボディ
２  レンズ鏡筒
３  電源ボタン
４  シャッターボタン
５  基板
６  撮像素子
７  光学フィルタ
８  可動枠部材
９  固定枠部材
１１  筒状部材
２１・２２・２３・２４・２５  可動レンズ
２６  最終レンズ鏡枠
２７  突起部
【図１】
2009204689.tif 000003
【図２】
2009204689.tif 000004
【図３】
2009204689.tif 000005
【図４】
2009204689.tif 000006
【図５】
2009204689.tif 000007
【図６】
2009204689.tif 000008